(57)【要約】【課題】携帯端末内の情報を外部メモリへ容易にバックアップすることの可能な携帯端末、携帯端末の制御方法、プログラムおよび記録媒体を提供する。【解決手段】携帯端末内のタイマにて計測される時間が、ユーザが予め設定した時間になった場合に、携帯端末内のデータのうちユーザが選択したデータを、外部メモリへと自動的に記憶してバックアップ処理を行う。このとき、外部メモリが装着されていない場合や、外部メモリの空き容量が記憶するデータ量よりも少ない場合にはバックアップ処理を行わない。【選択図】図１
2007258895.tif 000002
【特許請求の範囲】
【請求項１】
外部記憶手段を有する携帯端末であって、
前記携帯端末は、時間を計測するタイマと、
前記タイマで計測された前記時間に基づいて、前記外部記憶手段に、前記携帯端末の内部に存在する内部記憶媒体に保存された少なくとも１以上の情報を記憶させる記憶制御手段とを有することを特徴とする携帯端末。
【請求項２】
前記記憶制御手段は、前記情報のうちユーザによって予め設定された前記情報のみを記憶させることを特徴とする請求項１記載の携帯端末。
【請求項３】
前記外部記憶媒体の接続状況を判定する第１の判定手段を有し、前記第１の判定手段にて前記外部記憶媒体が前記携帯端末に接続されていないと判定された場合には、前記情報を記憶させないことを特徴とする請求項１または２記載の携帯端末。
【請求項４】
前記外部記憶媒体の記憶容量を判定する第２の判定手段を有し、前記第２の判定手段にて前記記憶容量の残容量が記憶される前記情報の記憶量よりも少ないと判定された場合には、前記情報を記憶させないことを特徴とする請求項１または２記載の携帯端末。
【請求項５】
前記第１の判定手段にて、前記外部記憶媒体が前記携帯端末に接続されていないと判定された後に、前記外部記憶媒体を前記携帯端末に接続した場合には、前記情報を記憶させることを特徴とする請求項３記載の携帯端末。
【請求項６】
前記第２の判定手段にて、前記外部記憶媒体の前記残記憶容量が記憶される前記情報の記憶量よりも少ないと判定された後に、前記残記憶容量を前記情報の記憶量よりも大きくした場合には、前記情報を記憶させることを特徴とする請求項４記載の携帯端末。
【請求項７】
前記情報の記憶を行うか否かを選択する選択手段をさらに有することを特徴とする請求項５または６記載の携帯端末。
【請求項８】
外部記憶手段を有する携帯端末の制御方法であって、
前記携帯端末が備えるタイマにて時間を計測する計時工程と、
前記計時工程で計測された前記時間に基づいて、前記外部記憶手段に、前記携帯端末の内部に存在する内部記憶媒体に保存された少なくとも１以上の情報を記憶する記憶制御工程とを有することを特徴とする携帯端末の制御方法。
【請求項９】
前記記憶制御工程は、前記情報のうちユーザによって予め設定された前記情報のみを記憶することを特徴とする請求項８記載の携帯端末の制御方法。
【請求項１０】
前記外部記憶媒体の接続状況を判定する第１の判定工程を有し、前記第１の判定工程にて前記外部記憶媒体が前記携帯端末に接続されていないと判定された場合には、前記情報を記憶しないことを特徴とする請求項８または９記載の携帯端末の制御方法。
【請求項１１】
前記外部記憶媒体の記憶容量を判定する第２の判定工程を有し、前記第２の判定工程にて前記記憶容量の残容量が記憶される前記情報の記憶量よりも少ないと判定された場合には、前記情報を記憶しないことを特徴とする請求項８または９記載の携帯端末の制御方法。
【請求項１２】
前記第１の判定工程にて、前記外部記憶媒体が前記携帯端末に接続されていないと判定された後に、前記外部記憶媒体を前記携帯端末に接続した場合には、前記情報を記憶することを特徴とする請求項１０記載の携帯端末の制御方法。
【請求項１３】
前記第２の判定工程にて、前記外部記憶媒体の前記残記憶容量が記憶される前記情報の記憶量よりも少ないと判定された後に、前記残記憶容量を前記情報の記憶量よりも大きくした場合には、前記情報を記憶することを特徴とする請求項１１記載の携帯端末の制御方法。
【請求項１４】
前記情報の記憶を行うか否かを選択する選択工程をさらに有することを特徴とする請求項１２または１３記載の携帯端末の制御方法。
【請求項１５】
外部記憶手段を有する携帯端末を制御するプログラムであって、
前記携帯端末が備えるタイマにて時間を計測する計時処理と、
前記計時工程で計測された前記時間に基づいて、前記外部記憶手段に、前記携帯端末の内部に存在する内部記憶媒体に保存された少なくとも１以上の情報を記憶する記憶制御処理とをコンピュータに実行させるためのプログラム。
【請求項１６】
前記記憶制御処理は、前記情報のうちユーザによって予め設定された前記情報のみを記憶させることを特徴とする請求項１５記載のプログラム。
【請求項１７】
前記外部記憶媒体の接続状況を判定する第１の判定処理を実行させ、前記第１の判定処理にて前記外部記憶媒体が前記携帯端末に接続されていないと判定された場合には、前記情報を記憶させないことを特徴とする請求項１５または１６記載のプログラム。
【請求項１８】
前記外部記憶媒体の記憶容量を判定する第２の判定処理を実行させ、前記第２の判定処理にて前記記憶容量の残容量が記憶される前記情報の記憶量よりも少ないと判定された場合には、前記情報を記憶させないことを特徴とする請求項１５または１６記載のプログラム。
【請求項１９】
前記第１の判定処理にて、前記外部記憶媒体が前記携帯端末に接続されていないと判定された後に、前記外部記憶媒体を前記携帯端末に接続した場合には、前記情報を記憶させることを特徴とする請求項１７記載のプログラム。
【請求項２０】
前記第２の判定処理にて、前記外部記憶媒体の前記残記憶容量が記憶される前記情報の記憶量よりも少ないと判定された後に、前記残記憶容量を前記情報の記憶量よりも大きくした場合には、前記情報を記憶させることを特徴とする請求項１８記載のプログラム。
【請求項２１】
前記情報の記憶を行うか否かを選択する選択処理をさらにコンピュータに実行させることを特徴とする請求項１９または２０記載のプログラム。
【請求項２２】
請求項１５から２１のいずれか１項記載のプログラムを記録したコンピュータ読み取り可能な記録媒体。
【発明の詳細な説明】
【技術分野】
【０００１】
本発明は、メモリデータの自動バックアップ機能を搭載した携帯端末、携帯端末の制御方法、プログラムおよび記録媒体に関する。
【背景技術】
【０００２】
昨今、携帯電話機などの携帯端末は多くの機能を搭載しており、一時的情報や常時登録情報を含め多くの情報を保有している。しかし、そのような情報も、携帯電話機の破損やユーザの誤操作などによって消失させてしまうことがあり、携帯電話機の情報が復活させることができない場合もある。
【０００３】
そこで最近、特許文献１、特許文献２に記載された技術のように、各種情報をバックアップさせる処理機能を備えた発明が開示されている。特許文献１には、情報の所定の項目のみを処理対象としてバックアップ処理またはリストア処理をできるようにし、また、その実行指示を容易な操作で行えるようにする発明が記載されている。また、特許文献２には、携帯電話本体の中にある内部記憶部の容量の増加を抑えてメールデータの保存を可能とする記載が開示されている。
【特許文献１】特開２００４−１０２４６５号公報
【特許文献２】特開２００５−１００１２９号公報
【発明の開示】
【発明が解決しようとする課題】
【０００４】
しかし、従来の技術として、携帯電話機がメモリカードなどの外部記憶媒体に対応している場合にはバックアップをとることも可能であるが、多くのユーザは、外部記憶媒体にバックアップ用として利用することが極僅かである。ほとんどのユーザは外部記憶媒体の利用手段として、例えば、携帯電話機の付属機能であるカメラなどで撮影した撮影画像や、ネットワークを介してダウンロードした音楽データなどの保存に利用される。
【０００５】
その理由としては、バックアップ処理を行うデータの転送に時間がかかることや、バックアップデータの転送方法が難しい点などが挙げられる。
【０００６】
このような課題に鑑み、本発明は、タイマで計測した時間に基づいて、外部記憶手段に携帯端末の情報を記憶させることが可能な携帯端末、携帯端末の制御方法、プログラムおよび記録媒体を提供することを目的としている。
【課題を解決するための手段】
【０００７】
上記の目的を達成するため、請求項１に記載の発明は、外部記憶手段を有する携帯端末であって、携帯端末は、時間を計測するタイマと、タイマで計測された時間に基づいて、外部記憶手段に、携帯端末の内部に存在する内部記憶媒体に保存された少なくとも１以上の情報を記憶させる記憶制御手段とを有することを特徴とする。
【０００８】
請求項２に記載の発明は、請求項１記載の携帯端末において、記憶制御手段は、情報のうちユーザによって予め設定された情報のみを記憶させることを特徴とする。
【０００９】
請求項３に記載の発明は、請求項１または２記載の携帯端末において、外部記憶媒体の接続状況を判定する第１の判定手段を有し、第１の判定手段にて外部記憶媒体が携帯端末に接続されていないと判定された場合には、情報を記憶させないことを特徴とする。
【００１０】
請求項４に記載の発明は、請求項１または２記載の携帯端末において、外部記憶媒体の記憶容量を判定する第２の判定手段を有し、第２の判定手段にて記憶容量の残容量が記憶される情報の記憶量よりも少ないと判定された場合には、情報を記憶させないことを特徴とする。
【００１１】
請求項５に記載の発明は、請求項３記載の携帯端末において、第１の判定手段にて、外部記憶媒体が携帯端末に接続されていないと判定された後に、外部記憶媒体を携帯端末に接続した場合には、情報を記憶させることを特徴とする。
【００１２】
請求項６に記載の発明は、請求項４記載の携帯端末において、第２の判定手段にて、外部記憶媒体の残記憶容量が記憶される情報の記憶量よりも少ないと判定された後に、残記憶容量を情報の記憶量よりも大きくした場合には、情報を記憶させることを特徴とする。
【００１３】
請求項７に記載の発明は、請求項５または６記載の携帯端末において、情報の記憶を行うか否かを選択する選択手段をさらに有することを特徴とする。
【００１４】
請求項８に記載の発明は、外部記憶手段を有する携帯端末の制御方法であって、携帯端末が備えるタイマにて時間を計測する計時工程と、計時工程で計測された時間に基づいて、外部記憶手段に、携帯端末の内部に存在する内部記憶媒体に保存された少なくとも１以上の情報を記憶する記憶制御工程とを有することを特徴とする。
【００１５】
請求項９に記載の発明は、請求項８記載の携帯端末の制御方法において、記憶制御工程は、情報のうちユーザによって予め設定された情報のみを記憶することを特徴とする。
【００１６】
請求項１０に記載の発明は、請求項８または９記載の携帯端末の制御方法において、外部記憶媒体の接続状況を判定する第１の判定工程を有し、第１の判定工程にて外部記憶媒体が携帯端末に接続されていないと判定された場合には、情報を記憶しないことを特徴とする。
【００１７】
請求項１１に記載の発明は、請求項８または９記載の携帯端末の制御方法において、外部記憶媒体の記憶容量を判定する第２の判定工程を有し、第２の判定工程にて記憶容量の残容量が記憶される情報の記憶量よりも少ないと判定された場合には、情報を記憶しないことを特徴とする。
【００１８】
請求項１２に記載の発明は、請求項１０記載の携帯端末の制御方法において、第１の判定工程にて、外部記憶媒体が携帯端末に接続されていないと判定された後に、外部記憶媒体を携帯端末に接続した場合には、情報を記憶することを特徴とする。
【００１９】
請求項１３に記載の発明は、請求項１１記載の携帯端末の制御方法において、第２の判定工程にて、外部記憶媒体の残記憶容量が記憶される情報の記憶量よりも少ないと判定された後に、残記憶容量を情報の記憶量よりも大きくした場合には、情報を記憶することを特徴とする。
【００２０】
請求項１４に記載の発明は、請求項１２または１３記載の携帯端末の制御方法において、情報の記憶を行うか否かを選択する選択工程をさらに有することを特徴とする。
【００２１】
請求項１５に記載の発明は、外部記憶手段を有する携帯端末を制御するプログラムであって、携帯端末が備えるタイマにて時間を計測する計時処理と、計時工程で計測された時間に基づいて、外部記憶手段に、携帯端末の内部に存在する内部記憶媒体に保存された少なくとも１以上の情報を記憶する記憶制御処理とをコンピュータに実行させることを特徴とする。
【００２２】
請求項１６に記載の発明は、請求項１５記載のプログラムにおいて、記憶制御処理は、情報のうちユーザによって予め設定された情報のみを記憶させることを特徴とする。
【００２３】
請求項１７に記載の発明は、請求項１５または１６記載のプログラムにおいて、外部記憶媒体の接続状況を判定する第１の判定処理を実行させ、第１の判定処理にて外部記憶媒体が携帯端末に接続されていないと判定された場合には、情報を記憶させないことを特徴とする。
【００２４】
請求項１８に記載の発明は、請求項１５または１６記載のプログラムにおいて、外部記憶媒体の記憶容量を判定する第２の判定処理を実行させ、第２の判定処理にて記憶容量の残容量が記憶される情報の記憶量よりも少ないと判定された場合には、情報を記憶させないことを特徴とする。
【００２５】
請求項１９に記載の発明は、請求項１７記載のプログラムにおいて、第１の判定処理にて、外部記憶媒体が携帯端末に接続されていないと判定された後に、外部記憶媒体を携帯端末に接続した場合には、情報を記憶させることを特徴とする。
【００２６】
請求項２０に記載の発明は、請求項１８記載のプログラムにおいて、第２の判定処理にて、外部記憶媒体の残記憶容量が記憶される情報の記憶量よりも少ないと判定された後に、残記憶容量を情報の記憶量よりも大きくした場合には、情報を記憶させることを特徴とする。
【００２７】
請求項２１に記載の発明は、請求項１９または２０記載のプログラムにおいて、情報の記憶を行うか否かを選択する選択処理をさらにコンピュータに実行させることを特徴とする。
【００２８】
請求項２２に記載の発明は、請求項１５から２１のいずれか１項記載のプログラムを記録したコンピュータ読み取り可能な記録媒体であることを特徴とする。
【発明の効果】
【００２９】
このように、本発明の携帯端末、携帯端末の制御方法、プログラムおよび記録媒体によれば、携帯端末内の情報を、外部記憶手段に容易に記憶させることができる。
【発明を実施するための最良の形態】
【００３０】
以下に、本実施形態の携帯端末、携帯端末の制御方法、プログラムおよび記録媒体について図面を用いて説明する。なお、本実施形態は以下に述べるものに限定されず、その趣旨を逸脱しない範囲において種々変更が可能である。また、本実施形態では携帯端末として、携帯電話機を用いて説明する。
図１は、本実施形態の携帯電話機の構成を示すブロック図である。
【００３１】
本実施形態の携帯電話機１は、制御部１１と、通信部１２と、信号処理部１３と、表示部１４と、操作部１５と、タイマ１６と、ＲＯＭ（Read Only Memory）１７と、ＲＡＭ（Random Access Memory）１８と、外部インタフェース（Ｉ／Ｆ）１９と、外部メモリ２０と、を備えている。これらの各機能部は、バス等を介して相互に接続可能な状態となっている。
【００３２】
制御部１１は、携帯電話機１の全体を制御するものであり、ＣＰＵ（Central Processing Unit）などで構成される。通信部１２は、アンテナ２１を介して通信ネットワークに接続して、外部からの情報の受信し、また、携帯電話機１内の各種情報を外部へ送信する。信号処理部１３は、通信部１２との間で送受信する各種情報に係る信号を処理する。この信号処理部１３は、マイク２２およびスピーカ２３と接続され、マイク２２から入力された外部の音声を音声信号として取得し、また、通信部１２など外部から取得した音声信号をスピーカ２３へ音声として出力する。
【００３３】
表示部１４は、電話帳や電子メール、通信部１２を介してダウンロードした画像、音声データなど、携帯電話機１の各種画像データを表示させるものであり、制御部１１からの制御信号に基づいて画像を表示する。なお、表示部１４にＶＲＡＭ（Video Random Access Memory）を搭載することによって、画像データを表示する際の処理の高速化を図ることも可能である。
【００３４】
操作部１５は、操作キーなどで構成され、各種機能の選択や、携帯電話機１の機能を操作するものであり、操作部１５から制御部１１に操作信号を送信する。タイマ１６は、現在の日付および時刻を計時し、また、本実施形態においてバックアップ処理動作が行われてからの経過時間を計時する。
【００３５】
ＲＯＭ１７およびＲＡＭ１８は、制御部１１と接続され携帯電話機１の各種データを記憶するものであり、ＲＯＭ１７は、携帯電話機１の制御を行うための制御プログラムや、文字フォントデータなどのアプリケーション等の情報を記録する。また、ＲＡＭ１８は、所定のアプリケーションプログラムを起動したとき、そのプログラムを実行する際に使用する画像信号や音声信号等の情報を一時的に記録し、情報の読み書きを行うための作業領域となる記憶部である。電話帳データや撮影した画像データ、音声データなどは、このＲＡＭ１８に記憶される。
【００３６】
外部Ｉ／Ｆ１９は、携帯電話機１と外部メモリ２０などの外部記憶媒体とを接続するインタフェースである。外部メモリ２０は、外部Ｉ／Ｆ１９を介して携帯電話機１に着脱可能な、メモリカードやＳＤカードなどの外部記憶媒体であり、ＲＡＭ１８に格納された各種情報を保存する。本実施形態において、バックアップデータは、この外部メモリ２０に保存されることになる。
【００３７】
次に、本実施形態のバックアップ処理機能の設定動作について、図面を参照しながら説明する。
図２は、本実施形態の携帯電話機１におけるバックアップ処理機能の設定動作を示すフローチャートである。
【００３８】
まず、ユーザに自動バックアップ機能の設定の可否を選択させるために、設定可否の選択画面を表示部１４に表示する（ステップＳ１０１）。ここでデータのバックアップを行わない場合には（ステップＳ１０１／Ｎｏ）、そのまま設定を終了する。データのバックアップを行う場合には（ステップＳ１０１／Ｙｅｓ）、自動バックアップ機能の詳細設定画面を起動させる（ステップＳ１０２）。このとき表示される設定画面の一例を図３に示す。
【００３９】
次に、自動バックアップを開始する日付・時間を設定する（ステップＳ１０３）。この日時設定では、「○月×日△時」というように直接日付・時間を設定する。日時を設定した後、次に、自動バックアップを繰り返し行うか否かを設定する（ステップＳ１０４）。そして、自動バックアップを行う対象のデータを選択する（ステップＳ１０５）。バックアップの対象データとしては、ユーザデータに関連するデータの一覧画面などでユーザが選択する。このとき表示される設定後の画面の一例を図４に示す。
【００４０】
なお、上記ステップＳ１０３からＳ１０５での各設定は、その設定順を変更してもよい。また、本実施形態では、上記ステップＳ１０３において直接日時を設定することとして説明したが、設定された日時内におけるバックアップ回数を設定したり、例えば何時間経過するごとにバックアップを行うというように、経過時間に基づいてバックアップを行うよう設定することとしてもよい。
【００４１】
次に、本実施形態のバックアップ処理動作について説明する。
図５は、本実施形態の自動バックアップ動作を示すフローチャートである。なおここでは、日時（日付・時刻）が更新される際に自動バックアップが行われることとして説明する。
【００４２】
まず、タイマ１６で日時が更新されたことを検知すると（ステップＳ２０１）、自動バックアップ機能が設定されているかを判定する（ステップＳ２０２）。自動バックアップ機能が設定されている場合には（ステップＳ２０２／Ｙｅｓ）、次に、外部メモリ２０が携帯電話機１に装着（接続）されているかを判定する（ステップＳ２０３）。なお、自動バックアップ機能が設定されていない場合には（ステップＳ２０２／Ｎｏ）、日時表示の更新のみが行われてバックアップ動作は行われない（ステップＳ２０８）。
【００４３】
外部メモリ２０が装着されている場合には（ステップＳ２０３／Ｙｅｓ）、当該外部メモリ２０内の空き容量が十分かどうかを判定する（ステップＳ２０４）。ここでは、バックアップデータの総容量を計算して、バックアップ先である外部メモリ２０の空き容量との比較を行う。この比較の結果、外部メモリ２０の空き容量が勝っている、すなわち空き容量が十分ある場合には（ステップＳ２０４／Ｙｅｓ）、外部メモリ２０への自動バックアップを実行する（ステップＳ２０５）。
【００４４】
なお、バックアップ動作の完了後には処理を終了するが、例えば繰り返しアックアップ設定が成されている場合には、次回の起動タイミング時に再度バックアップ動作を実行することになる。
【００４５】
一方、上記ステップ２０３にて外部メモリ２０が装着されていない場合には（ステップＳ２０３／Ｎｏ）、外部メモリ２０が装着されていない旨のエラー画面を表示部１４に表示させて、バックアップ動作は実行されない（ステップＳ２０６）。なお、エラー画面の表示中に外部メモリ２０を装着しても、自動バックアップのトリガとなる日時か過ぎているため、次回のトリガとなる日時まで自動バックアップは行われない。
【００４６】
また、上記ステップ２０４にて外部メモリ２０の空き容量がない場合には（ステップＳ２０４／Ｎｏ）、外部メモリ２０の空き容量が不足している旨のエラー画面を表示部１４に表示させて、バックアップ動作は実行されない（ステップＳ２０７）。
【００４７】
このように、本実施形態によれば、外部メモリ内に所望のデータが自動的にバックアップされるので、バックアップのし忘れを無くし、突発的なアクシデントなどによってデータが消失することを極力回避して、従来よりも小さな被害、あるいは、全く被害を被らずに済むことができる。
【００４８】
また、バックアップデータは外部メモリ内に保存され、ネットワークを介して外部の機器に送信するようなバックアップは行わないので、周囲の電波状況にも左右されることなく的確にバックアップが行われる。また、バックアップデータが保存された外部メモリは、ＰＣなど外部メモリを接続して内部のデータを読み取り可能な他の装置にて管理することも可能である。
【００４９】
さらに、本実施形態では、外部メモリが装着されていない場合や外部メモリの容量が不足している場合において、エラー画面の表示時に再度バックアップを行うようにすることも可能である。この場合について、図６を用いて説明する。
【００５０】
図６は、本実施形態の自動バックアップ動作の他の一例を示すフローチャートである。なお図６においても図５の場合と同様に、日時（日付・時刻）が更新される際に自動バックアップが行われることとして説明する。
【００５１】
まず、タイマ１６で日時が更新されたことを検知すると（ステップＳ３０１）、自動バックアップ機能が設定されているかを判定する（ステップＳ３０２）。自動バックアップ機能が設定されている場合には（ステップＳ３０２／Ｙｅｓ）、次に、外部メモリ２０が携帯電話機１に装着されているかを判定する（ステップＳ３０３）。なお、自動バックアップ機能が設定されていない場合には（ステップＳ３０２／Ｎｏ）、日時表示の更新のみが行われてバックアップ動作は行われない（ステップＳ３１２）。
【００５２】
外部メモリ２０が装着されている場合には（ステップＳ３０３／Ｙｅｓ）、当該外部メモリ２０内の空き容量が十分かどうかを判定する（ステップＳ３０４）。ここでは、バックアップデータの総容量を計算して、バックアップ先である外部メモリ２０の空き容量との比較を行う。この比較の結果、外部メモリ２０の空き容量が勝っている、すなわち空き容量が十分ある場合には（ステップＳ３０４／Ｙｅｓ）、外部メモリ２０への自動バックアップを実行する（ステップＳ３０５）。
【００５３】
なお、バックアップ動作の完了後には処理を終了するが、例えば繰り返しアックアップ設定が成されている場合には、次回の起動タイミング時に再度バックアップ動作を実行することになる。ここまでの動作は、上述した図５における動作とほぼ同様である。
【００５４】
一方、上記ステップ３０３にて外部メモリ２０が装着されていないと判定した場合には（ステップＳ３０３／Ｎｏ）、まず、外部メモリ２０が装着されていない旨のエラー画面を表示部１４に表示させる（ステップＳ３０６）。そして、このエラー画面表示中に、外部メモリ２０が装着されたかどうかを再度判定する（ステップＳ３０７）。
【００５５】
外部メモリ２０が装着された場合には（ステップＳ３０７／Ｙｅｓ）、エラー画面表示から外部メモリ２０が装着された旨のメッセージ画面を表示して（ステップＳ３０８）、外部メモリ２０の空き容量をチェックするステップＳ３０４へと移行する。また、外部メモリ２０が装着されない場合には（ステップＳ３０７／Ｎｏ）、そのまま自動バックアップは行われず（ステップＳ３１２）、処理を終了することになる。なお、エラー画面の表示中に外部メモリ２０が装着されない場合の判定としては、エラー画面が表示されてから所定の時間経過後に判定される場合や、エラー画面表示中に、ユーザが操作部１５に対して何らかの操作を行うことにより判定される場合などが挙げられる。
【００５６】
また、外部メモリ２０の容量が不足している場合にも、同様の動作を行う。
すなわち、上記ステップ３０４にて外部メモリ２０の空き容量がない場合には（ステップＳ３０４／Ｎｏ）、まず、外部メモリ２０の空き容量が不足している旨のエラー画面を表示部１４に表示させる（ステップＳ３０９）。そして、このエラー画面表示中に、外部メモリ２０の空き容量の不足分が解消されたかどうかを再度判定する（ステップＳ３１０）。
【００５７】
外部メモリ２０の空き容量の不足分を解消する方法としては、例えば、容量の十分な他の外部メモリを装着することや、現在装着されている外部メモリ２０内のデータの移動・消去などが考えられる。このようにして、外部メモリ２０の容量不足が解消された場合には（ステップＳ３１０／Ｙｅｓ）、エラー画面表示から外部メモリ２０の容量不足が解消された旨のメッセージ画面を表示して（ステップＳ３１１）、当該外部メモリ２０へバックアップを行うステップＳ３０５へと移行する。一方、外部メモリ２０の容量不足が解消されない場合には（ステップＳ３１０／Ｎｏ）、そのまま自動バックアップは行われず（ステップＳ３１２）、処理を終了することになる。
【００５８】
このように本実施形態によれば、エラー画面表示中に当該エラーを解消させることでバックアップ処理が行われることとなり、より利便性が向上する。
【００５９】
さらに、本実施形態では、エラー画面表示中に当該エラーを解消させたときに、バックアップを行うか否かをユーザに選択させることも可能である。この場合の動作について図面を用いて説明する。
【００６０】
図７は、本実施形態の自動バックアップ動作のさらに他の一例を示すフローチャートである。なお図７においても、図５および図６の場合と同様に、日時（日付・時刻）が更新される際に自動バックアップが行われることとして説明する。
【００６１】
まず、タイマ１６で日時が更新されたことを検知すると（ステップＳ４０１）、自動バックアップ機能が設定されているかを判定する（ステップＳ４０２）。自動バックアップ機能が設定されている場合には（ステップＳ４０２／Ｙｅｓ）、次に、外部メモリ２０が携帯電話機１に装着されているかを判定する（ステップＳ４０３）。なお、自動バックアップ機能が設定されていない場合には（ステップＳ４０２／Ｎｏ）、日時表示の更新のみが行われてバックアップ動作は行われない（ステップＳ４１２）。
【００６２】
外部メモリ２０が装着されている場合には（ステップＳ４０３／Ｙｅｓ）、当該外部メモリ２０内の空き容量が十分かどうかを判定する（ステップＳ４０４）。ここでは、バックアップデータの総容量を計算して、バックアップ先である外部メモリ２０の空き容量との比較を行う。この比較の結果、外部メモリ２０の空き容量が勝っている、すなわち空き容量が十分ある場合には（ステップＳ４０４／Ｙｅｓ）、外部メモリ２０への自動バックアップを実行する（ステップＳ４０５）。
【００６３】
なお、バックアップ動作の完了後には処理を終了するが、例えば繰り返しアックアップ設定が成されている場合には、次回の起動タイミング時に再度バックアップ動作を実行することになる。
【００６４】
一方、上記ステップ４０３にて外部メモリ２０が装着されていないと判定した場合には（ステップＳ４０３／Ｎｏ）、まず、外部メモリ２０が装着されていない旨のエラー画面を表示部１４に表示させる（ステップＳ４０６）。そして、このエラー画面表示中に、外部メモリ２０が装着されたかどうかを再度判定する（ステップＳ４０７）。
【００６５】
外部メモリ２０が装着された場合には（ステップＳ４０７／Ｙｅｓ）、エラー画面表示から外部メモリ２０が装着された旨のメッセージ画面を表示して（ステップＳ４０８）、さらにバックアップ処理を行うか否かをユーザに選択させる（ステップＳ４１３）。この選択は、エラー解消時に選択することとしてもよいし、予めユーザにより設定されていることとしてもよい。
【００６６】
バックアップ処理を行う場合には（ステップＳ４１３／Ｙｅｓ）、外部メモリ２０の空き容量をチェックするステップＳ４０４へと移行する。また、外部メモリ２０が装着されない場合（ステップＳ４０７／Ｎｏ）、あるいは、バックアップ処理を行わない場合には（ステップＳ４１３／Ｎｏ）、そのまま自動バックアップは行われず（ステップＳ４１２）、処理を終了することになる。
【００６７】
また、上記ステップ４０４にて外部メモリ２０の空き容量がない場合には（ステップＳ４０４／Ｎｏ）、まず、外部メモリ２０の空き容量が不足している旨のエラー画面を表示部１４に表示させる（ステップＳ４０９）。そして、このエラー画面表示中に、外部メモリ２０の空き容量の不足分が解消されたかどうかを再度判定する（ステップＳ４１０）。
【００６８】
外部メモリ２０の容量不足が解消された場合には（ステップＳ４１０／Ｙｅｓ）、エラー画面表示から外部メモリ２０の容量不足が解消された旨のメッセージ画面を表示して（ステップＳ４１１）、さらにバックアップ処理を行うか否かをユーザに選択させる（ステップＳ４１４）。この選択も上記ステップＳ４１３の場合と同様に、エラー解消時に選択することとしてもよいし、予めユーザにより設定されていることとしてもよい。
【００６９】
バックアップ処理を行う場合には（ステップＳ４１４／Ｙｅｓ）、外部メモリ２０へバックアップを行うステップＳ４０５へと移行する。一方、外部メモリ２０の容量不足が解消されない場合（ステップＳ４１０／Ｎｏ）、あるいは、バックアップ処理を行わない場合には（ステップＳ４１４／Ｎｏ）、そのまま自動バックアップは行われず（ステップＳ４１２）、処理を終了することになる。
【００７０】
このように本実施形態によれば、エラー画面表示中のエラー解消後にバックアップ処理を行うかどうかを選択させることで、さらに利便性が向上する。
【００７１】
以上、本実施形態の携帯端末、携帯端末の制御方法、プログラムおよび記録媒体によれば、携帯電話機のタイマ機能と外部メモリとを利用して、事前にユーザが設定したタイミングをトリガとして、自動的に事前にユーザが選択したユーザデータを外部メモリへ退避することができる。本実施形態のように、容易な設定で、自動的に外部メモリへバックアップする機能が搭載されれば、ユーザも情報のバックアップを積極的に行い、重要な情報を安全に退避させることができる。
【産業上の利用可能性】
【００７２】
本実施形態における自動バックアップ方法は、最近のビデオデッキから置き換わりつつある、ＨＤＤレコーダやＤＶＤレコーダにも適用が可能であり、例えば、ＨＤＤのメモリを自動的にＤＶＤ媒体にバックアップすることで、予期せぬＨＤＤのメモリ消えなどが発生した場合にも、大事なユーザデータを消失せずに済む。
【図面の簡単な説明】
【００７３】
【図１】本実施形態の携帯端末の構成を示すブロック図である。
【図２】本実施形態のバックアップ処理機能の設定動作を示すフローチャートである。
【図３】本実施形態の自動バックアップ機能の設定画面の一例を示す図である。
【図４】本実施形態の自動バックアップ機能を設定した後の設定画面の一例を示す図である。
【図５】本実施形態の自動バックアップ動作の一例を示すフローチャートである。
【図６】本実施形態の自動バックアップ動作の他の一例を示すフローチャートである。
【図７】本実施形態の自動バックアップ動作のさらに他の一例を示すフローチャートである。
【符号の説明】
【００７４】
１    携帯電話機
１１    制御部
１２    通信部
１３    信号処理部
１４    表示部
１５    操作部
１６    タイマ
１７    ＲＯＭ
１８    ＲＡＭ
１９    外部Ｉ／Ｆ
２０    外部メモリ
２１    アンテナ
２２    マイク
２３    スピーカ
【図１】
2007258895.tif 000003
【図２】
2007258895.tif 000004
【図３】
2007258895.tif 000005
【図４】
2007258895.tif 000006
【図５】
2007258895.tif 000007
【図６】
2007258895.tif 000008
【図７】
2007258895.tif 000009